(57)【要約】    【課題】  廃棄物を出す者が廃棄物の回収方法を容易に知ることができ、廃棄物の正しい出し方を促進することができるラベル発行システムを提供することを目的とする。    【解決手段】  廃棄物を回収する地域である回収地域情報と、廃棄物を回収できない旨のメッセージである回収不可情報と、回収地域情報及び回収不可情報に対応した廃棄物の回収方法である回収方法情報と、廃棄物回収者の定めた廃棄物の回収方法が記載されたウェブサイトに接続できるアドレスをコード化した回収方法コードと、を表示したラベルを発行するラベル発行システムである。【選択図】図１
2008112419.tif 000002
【特許請求の範囲】
【請求項１】
ラベルを発行するシステムであって、
入力手段と、
廃棄物を回収できない旨のメッセージである回収不可情報を複数記憶する回収不可情報記憶手段と、
前記入力手段により前記回収不可情報記憶手段から選択された回収不可情報を呼び出す回収不可情報呼出手段と、
呼び出された前記回収不可情報をラベルに印字する印字部を備えたことを特徴とするラベル発行システム。
【請求項２】
前記ラベル発行システムは、廃棄物を回収する地域である回収地域情報を複数記憶する回収地域情報記憶手段と、前記入力手段により前記回収地域情報記憶手段から選択された回収地域情報を呼び出す回収地域情報呼出手段と、印字部で呼び出された回収地域情報をラベルに印字することを特徴とする請求項１記載のラベル発行システム。
【請求項３】
前記ラベル発行システムは、廃棄物を回収する廃棄物回収者が定めた廃棄物の回収方法が記載されたウェブサイトのアドレスをコード化した回収方法コードを前記印字部でラベルに印字することを特徴とする請求項１又は請求項２記載のラベル発行システム。
【請求項４】
ラベルを発行するシステムであって、
入力手段と、
廃棄物を回収する地域である回収地域情報を複数記憶する回収地域情報記憶手段と、
前記入力手段により前記回収地域情報記憶手段から選択された回収地域情報を呼び出す回収地域情報呼出手段と、
廃棄物を回収できない旨のメッセージである回収不可情報を複数記憶する回収不可情報記憶手段と、
前記入力手段により前記回収不可情報記憶手段から選択された回収不可情報を呼び出す回収不可情報呼出手段と、
前記回収地域情報及び前記回収不可情報に対応した廃棄物の回収方法である回収方法情報を複数記憶した回収方法情報記憶手段と、
前記入力手段により回収地域情報及び回収不可情報を選択後に、前記回収方法情報手段から前記回収地域情報及び前記回収不可情報に対応した回収方法情報を呼び出す回収方法情報呼出手段と、
呼び出された前記回収地域情報及び前記回収不可情報及び前記回収方法情報をラベルに印字する印字部を備えたことを特徴とするラベル発行システム。
【請求項５】
前記ラベル発行システムは、廃棄物を回収する廃棄物回収者が定めた廃棄物の回収方法が記載されたウェブサイトのアドレスをコード化した回収方法コードを前記印字部でラベルに印字することを特徴とする請求項４記載のラベル発行システム。
【請求項６】
前記ラベル発行システムは、前記入力手段で選択した回収地域情報及び回収不可情報に対応した前記回収方法情報を識別コードに変換する制御プログラムを有しており、この制御プログラムによって変換した識別コードを前記印字部でラベルに印字することを特徴とする請求項４又は請求項５記載のラベル発行システム。
【請求項７】
前記回収地域情報を入力手段によって選択後に前記回収不可情報を選択することを特徴とする請求項４又は請求項５又は請求項６記載のラベル発行システム。
【発明の詳細な説明】
【技術分野】
【０００１】
本発明は、廃棄物の回収する地域である回収地域情報及び廃棄物を回収しない旨のメッセージである回収不可情報及び自治体、回収業者などの廃棄物を回収する廃棄物回収者で定められている廃棄物の回収方法である回収方法情報を表示したラベルを発行し、廃棄物の回収方法に違反した廃棄物又は廃棄物用の容器（ごみ袋）に貼り付けることによって、廃棄物を出す者に廃棄物の正しい出し方を促進することができるラベル発行システムに関する。
【背景技術】
【０００２】
従来から、廃棄物を出すときに不燃物、可燃物の分別ができていない、不燃物を可燃物の回収日に出しているなど廃棄物の出し方の不正によって廃棄物回収者が廃棄物の回収を行わずに、「このごみは回収できません」などの廃棄物を回収しない旨のメッセージと廃棄物回収者名が表示されたステッカーを貼り、廃棄物を回収せずに廃棄物回収場に置いておくことが行われていた。
【０００３】
しかしながら、従来のステッカーは、廃棄物の不燃物、可燃物の分別ができていないのか、不燃物を可燃物の回収日に出しているという廃棄物の出し方の不正なのか、廃棄物を回収しなかった旨（理由）について詳細の表示はなく、廃棄物を出した者にはなぜ廃棄物が回収されなかったのかについて分かり難く情報不足であった。
また、廃棄物回収者が定めた廃棄物の分別の仕方、廃棄物の回収する曜日など廃棄物を回収するための廃棄物の回収方法については表示されておらず、廃棄物の回収方法を知らない者には情報不足であった。
また、廃棄物を回収するための条件（例えば、不燃物、可燃物の回収日など）は、地域毎（番地毎）に違うことがあるため、廃棄物回収者は地域に対応したステッカーを作成する必要があり、多種のステッカーを用意しなければならなかった。
【０００４】
廃棄物の分別方法は地域毎に異なり、例えば、廃棄物を細かく分別する必要のある自治体では、廃棄物を１０種類以上に分別しなければならず、廃棄物を回収するための条件が表示されたステッカーに表示する情報が多くなり、ステッカーを不定形の廃棄物に貼り付けることによって貼付後に折れ曲がってしまうことによって読み難い状況になるという問題があった。
【０００５】
【特許文献１】実用新案登録第３０２５４２２号
【特許文献２】実用新案登録第３０６８０００号
【特許文献３】実用新案登録第３０７５５１６号
【発明の開示】
【発明が解決しようとする課題】
【０００６】
本発明は、上記のような問題点に着目してなされたものであって、廃棄物を回収する地域の名称（回収地域情報）及び廃棄物を回収しない旨のメッセージ（回収不可情報）及び自治体、回収業者などの廃棄物を回収する廃棄物回収者で定められている廃棄物の回収方法（回収方法情報）及び廃棄物回収者の名称（廃棄物回収者名）を表示したラベルを発行し、廃棄物の回収方法に違反して回収することができない廃棄物又は廃棄物用の容器（ごみ袋）に貼り付けることによって、廃棄物を出す者に廃棄物の正しい出し方を促進することができるラベル発行システムを提供することを目的とする。
【課題を解決するための手段】
【０００７】
本発明に係るラベル発行システムは、入力手段と、廃棄物を回収できない旨のメッセージである回収不可情報を複数記憶する回収不可情報記憶手段と、前記入力手段により前記回収不可情報記憶手段から選択された回収不可情報を呼び出す回収不可情報呼出手段と、呼び出された前記回収不可情報をラベルに印字する印字部を備えることを特徴とする。
また、前記ラベル発行システムは、廃棄物を回収する地域である回収地域情報を複数記憶する回収地域情報記憶手段と、前記入力手段により前記回収地域情報記憶手段から選択された回収地域情報を呼び出す回収地域情報呼出手段と、印字部で呼び出された回収地域情報をラベルに印字することもできる。
また、前記ラベル発行システムは、廃棄物を回収する廃棄物回収者が定めた廃棄物の回収方法が記載されたウェブサイトのアドレスをコード化した回収方法コードを前記印字部でラベルに印字することもできる。
本発明に係るラベル発行システムは、入力手段と、廃棄物を回収する地域である回収地域情報を複数記憶する回収地域情報記憶手段と、前記入力手段により前記回収地域情報記憶手段から選択された回収地域情報を呼び出す回収地域情報呼出手段と、廃棄物を回収できない旨のメッセージである回収不可情報を複数記憶する回収不可情報記憶手段と、前記入力手段により前記回収不可情報記憶手段から選択された回収不可情報を呼び出す回収不可情報呼出手段と、前記回収地域情報及び前記回収不可情報に対応した廃棄物の回収方法である回収方法情報を複数記憶した回収方法情報記憶手段と、前記入力手段により回収地域情報及び回収不可情報を選択後に、前記回収方法情報手段から前記回収地域情報及び前記回収不可情報に対応した回収方法情報を呼び出す回収方法情報呼出手段と、呼び出された前記回収地域情報及び前記回収不可情報及び前記回収方法情報をラベルに印字する印字部を備えたことを特徴とする。
また、前記ラベル発行システムは、廃棄物を回収する廃棄物回収者が定めた廃棄物の回収方法が記載されたウェブサイトのアドレスをコード化した回収方法コードを前記印字部でラベルに印字することもできる。
また、前記ラベル発行システムは、前記入力手段で選択した回収地域情報及び回収不可情報に対応した前記回収方法情報を識別コードに変換する制御プログラムを有しており、この制御プログラムによって変換した識別コードを前記印字部でラベルに印字することもできる。
前記回収地域情報を入力手段によって選択後に前記回収不可情報を選択することもできる。
【発明の効果】
【０００８】
本発明に係るラベル発行システムは、回収地域情報及び回収不可情報、回収地域情報及び回収不可情報に対応した回収方法情報を表示したラベルを容易に発行できるとともに、このラベルを回収することができない廃棄物又は廃棄物用の容器（ごみ袋）に貼り付けることによって、廃棄物を出す者に廃棄物の正しい出し方を促進することができるという効果がある。
また、廃棄物回収者が定めた廃棄物の回収方法が記載されたウェブサイトに接続できる回収方法コードをラベルに表示するため、廃棄物を出す者が廃棄物の回収方法を容易に知ることができるという効果がある。
また、回収方法情報を携帯電話などで読取り解析可能な識別コードに変換する制御プログラムを有するため、回収方法情報を小スペース化することできるという効果がある。
【発明を実施するための最良の形態】
【０００９】
以下、本発明に係るラベル発行システム１の実施の形態について図１乃至図８に基づいて詳細に説明する。図１は本発明のラベル発行システム１の概略説明図である。図２は携帯端末の構成を示すブロック図である。図３は廃棄物情報データ構成を示すテーブル図である。図４は廃棄物情報のデータ構成を示すブロック図である。図５はラベル発行システムの制御について示すフローチャート図である。図６乃至図８は携帯端末の操作状況を示す説明図である。図９はラベルの平面図である。図１０は回収方法情報をラベルに識別コードで表示したときのラベルの平面図である。
【００１０】
図１に示すラベル発行システム１は、携帯端末２と、プリンタ部３と、ラベル４と、を有する。
【００１１】
携帯端末２はハンディスキャナーのことであり、図２に示すように、ＣＰＵ５と、ＲＯＭ６と、ＲＡＭ８と、ハードディスク９（以下、単にＨＤとする）と、表示部１１と、入力部１２と、通信部１３と、を有し、前記各部はバス１４を介して接続されて構成し、その動作概要として、廃棄物回収者が表示部１１を見ながら入力部１２を操作し、ＨＤ９に記憶された複数の回収地域情報から対象の回収地域情報を選択するとＣＰＵ５が選択された回収地域情報を呼び出し、回収地域情報を選択後に、対象の廃棄物に対応する回収不可情報をＨＤ９に記憶された複数の回収地域情報から選択するとＣＰＵ５が選択された回収不可情報を呼び出し、回収地域情報及び回収不可情報を呼び出し後に、回収地域情報及び回収不可情報に対応した廃棄物の回収方法である回収方法情報を呼び出し、回収方法情報を呼び出し後に、回収地域情報及び回収不可情報及び回収方法情報を後述するプリンタ部３に通信部１３を介して送信するものである。
【００１２】
ＣＰＵ６は、ＲＯＭ７、若しくはＨＤ９に記憶している各種の制御プログラムに従って動作し、各部を制御するものである。
ＲＯＭ７は、一度書き込まれた情報を読み出すための専用の記憶装置で、書き換える必要のない情報を記憶させるものである。
ＲＡＭ８は、ワークエリアとして機能し、各種の情報が一時的に記憶されるものである。
【００１３】
ＨＤ９は、各種オペレーションシステム（ＯＳ）と、各種アプリケーションソフトと、廃棄物情報１６と、回収方法コード１７と、回収方法制御プログラム１８と、ラベル発行制御プログラム１９と、が記憶されている。
【００１４】
廃棄物情報１６は、図３に示すように、廃棄物を回収する地域である複数の回収地域情報２１と、廃棄物を回収できない旨のメッセージである複数の回収不可情報２２と、この複数の回収地域情報２１及び回収不可情報２２に対応した廃棄物の回収方法である回収方法情報２３と、をＨＤ９に記憶してある。（回収地域情報記憶手段、回収不可情報記憶手段、回収方法記憶手段）。
上記廃棄物情報１６について地方自治体を例にして説明すると、廃棄物を回収する地域（回収地域情報２１）と、この地域毎に「ごみを出す曜日が違います」などの廃棄物を回収できない旨のメッセージ（回収不可情報２２）と、地域毎の廃棄物を回収できない旨のメッセージに応じた「燃えるごみは月曜日、燃えないごみは火曜日、資源ごみは木曜日などの廃棄物の回収方法（回収方法情報２３）がＨＤ９に記憶してある。
なお、廃棄物情報１６のデータ構成は、図３に示すようなテーブル構成ではなく、図４に示すようにブロック図の構成であっても構わない。
【００１５】
回収地域情報２１は、廃棄物を回収する地域（番地）のことあり、自治体では番地毎に廃棄物の回収方法が異なることがあるため、回収地域によって区分する必要がある。
この回収地域情報２１はＨＤ９に複数記憶してあり、入力部１２（入力手段）によって単一（一つ）の回収地域情報２１を選択すると、後述するラベル発行制御プログラム１９に従って呼び出し（回収地域情報呼出手段）、ＲＡＭ８に一時記憶される。
【００１６】
回収不可情報２２は、廃棄回収者が定めた廃棄物の回収方法に対して違反して出された廃棄物を回収しないという旨を示す情報（メッセージ）のことであって、例えば可燃の廃棄物の収集日に不燃の廃棄物が廃棄物収集場所に出された場合「ごみを出す曜日が違います」というメッセージを携帯端末２の入力部１２から選択できるようになっている。
この回収不可情報２２はＨＤ９に複数記憶してあり、入力部１２によって単一の回収不可情報２２を選択すると、後述するラベル発行制御プログラム１９に従って呼び出し（回収不可情報呼出手段）、ＲＡＭ８に一時記憶される。
【００１７】
回収方法情報２３は、廃棄物回収者が定めた廃棄物の回収地域毎の廃棄物の回収方法の情報であり、廃棄物を回収する地域（回収地域情報２１）毎に廃棄物の回収方法が異なることが多い。よって、回収地域情報２１及び回収不可情報２２に対応した回収方法情報２３をＨＤ９に記憶させる。
この回収方法情報２３は、回収地域情報２１及び回収不可情報２２に対応してあり、ＨＤ９に複数記憶されている。入力部１２により回収地域情報２１及び回収不可情報２２が選択され呼び出し後に、ラベル発行制御プログラム１９に従って、選択された回収地域情報２１及び回収不可情報２２に対応する回収方法情報２３を呼び出し。（回収方法情報呼出手段）、ＲＡＭ８に一時記憶される。
【００１８】
なお、廃棄物情報１６の回収地域情報２１及び回収不可情報２２及び回収方法情報２３については、入力部１２の操作により情報の追加、更新が可能である。これによって廃棄物の回収方法が変わっても廃棄物情報１６を対応させることができる。
【００１９】
回収方法コード１７は、廃棄物回収者が定めた廃棄物の回収方法が記載されたウェブサイトに接続するアドレスをコード化したものであって、携帯電話機等の読取り操作によってウェブサイトに接続するアドレスに解析し、閲覧することができる。
この回収方法コード１７は、ＨＤ９に記憶されて、ＣＰＵ６が回収方法情報２３を呼び出し後に、後述するラベル発行制御プログラム１９に従って呼び出され、ＲＡＭ８に一時記憶される。
また回収方法コード１７は、ラベル４に印字する内容を省スペース化するために、携帯電話機などで読取り、解析可能な2次元コード及びＱＲコード（登録商標）であることが好ましい。
【００２０】
回収方法制御プログラム１８は、ＨＤ９に記憶され、後述する入力部１２で選択した回収地域情報２１及び回収不可情報２２に対応した前記回収方法情報２３を入力部１２で選択することにより識別コード２９にコード化する制御プログラムであって、この回収方法制御プログラム１８によって識別コード２９にコード化した回収方法情報２３を前記プリンタ部３に送信してラベル４に印字する。この識別コード２９は、回収方法情報２３をラベル４の印字面を省スペース化するために携帯電話機などで読取り、解析可能な2次元コード及びＱＲコード（登録商標）であることが好ましい。
回収方法情報２３は目視できる文字情報でラベル４表面に表示すると多くの印字スペースを要することがあるため、回収方法情報２３を識別コードにコード化しラベル４の表面に表示することによって、ラベル４に印字する領域を省スペース化でき、小型のラベルを使用することができるという効果がある。
回収地域情報２１及び回収不可情報２２を選択、呼び出し後に回収方法情報２３がＣＰＵに呼び出され、回収方法情報２３を識別コード２９に変換するか文字情報にするかについての選択画面（回収方法情報選択画面）が表示部１１に表示されるものとする。
【００２１】
ラベル発行制御プログラム１９は、廃棄物回収者が入力部１２を操作し、回収地域情報２１及び回収不可情報２２を選択し、回収方法情報２３をラベルに識別コードで表示するか、目視できる文字情報で表示するかを選択すると、回収地域情報２１、回収不可情報２２、回収方法情報２３、回収方法コード１７を通信部１３を介してプリンタ部３に送信するという本発明ラベル発行システム１の一連の制御を行う制御プログラムである。
このラベル発行制御システム１８は、ＨＤ９又はＲＯＭ７に記憶され、ＣＰＵ６で上述した各種の指令させるものである。
【００２２】
表示部１１は、各種情報を表示するもので、後述する図６乃至図８を表示する液晶ディスプレイのことである。この表示部１１に回収地域情報２１を入力部１２で選択する画面（回収地域情報選択画面）、回収不可情報２２を入力部１２で選択する画面（回収不可情報選択画面）、回収方法情報２３を識別コード２９にするかを選択する画面（回収方法情報選択画面）が表示される。
入力部１２（入力手段）は、各種情報を入力することができるキーボード又はタッチパネルなどのことである。廃棄物回収者は、表示部１１で廃棄物情報１６を見て、入力部１２で回収地域情報２１及び回収不可情報２２及び回収方法情報２３を識別コード２９にするかについて選択する。
【００２３】
通信部１３はプリンタ部３との間で各種の情報の送受信を行うことができるものである。この通信部１３の通信形式は、赤外線通信又は無線ＬＡＮ又はＢｌｕｅｔｏｏｔｈ（登録商標）が好ましい。
通信部１３を介して入力部１２で選択された回収地域情報２１及び回収不可情報２２と、回収地域情報２１及び回収不可情報２２に対応した回収方法情報２３と、回収方法コード１７がプリンタ部３に送信される。前述した情報（回収地域情報２１、回収不可情報２２、回収方法情報２３、回収方法コード１７）を送信する前に回収方法情報２３を識別コード２９に変換するかを入力部１２で選択することができる。
バス１４は、各部が情報を交換するための共通の経路のことである。
【００２４】
プリンタ部３は、ベルトフック又は肩掛けのストラップなどが設けられ身につけて使用する携帯プリンタのであって、携帯端末２から送信された情報を受信する受信部と、携帯端末から送信された情報をラベル４に印字する印字部と、を有する。
印字部は、サーマルヘッドと、プラテンローラーと、リボンユニットから構成され、サーマルヘッドの発熱によってカーボンリボンを介してラベル４に印字するサーマル方式である。
【００２５】
ラベル４は、表面が印字部によって印字可能な印字面と、裏面に廃棄物及び廃棄物の容器（ごみ袋など）に貼付可能な粘着剤と、を有しており、表面に剥離塗工が施された剥離紙に粘着剤を介してラベル４が複数仮着されて印字用紙を構成している。このラベル４の印字面に印字部で携帯端末から送信された情報が印字される。
このラベル４は、図９に示すように、回収地域情報２１を表示する回収地域情報表示領域２５と、回収不可情報２２を表示する回収不可情報表示領域２６と、回収方法情報２３を表示する回収方法情報表示領域２７と、廃棄物回収者が定めた廃棄物の回収方法が記載されたウェブサイトのアドレスをコード化した回収方法コード１７を表示する回収方法コード表示領域２８と、を有する。
回収方法情報２３を回収方法情報表示領域２７に識別コード２９で表示するときは図１０に示すようになる。回収方法情報２３を識別コード２９で表示するときはラベルに「下記のQRコードを携帯電話機等で読取ることによりごみ出しの曜日がわかります。」という識別コード２９の使用方法のメッセージが表示される。
カーボンリボンを使用しないプリンタ部３で印字するときは、サーマルヘッドの発熱によって発色する感熱発色層をラベル４の表面に形成する。
【００２６】
上述したラベル発行システム１の制御について図５に示すフローチャート図を用いて説明する。
【００２７】
ＳＴＥＰ１は、携帯端末２の表示部１１に回収地域情報２１を選択する画面である回収地域情報選択画面３１が表示され、廃棄物を回収する者が入力部１２で対象の回収地域情報２１を選択する。
ＳＴＥＰ２は、ＣＰＵ６が入力部１２で選択された回収地域情報２１を呼び出しする。（回収地域情報呼出手段）。
ＳＴＥＰ３は、回収地域情報２１を呼び出し後に、携帯端末２の表示部１１に回収不可情報２２を選択する画面である回収不可情報選択画面３２が表示され、廃棄物を回収する者が対象の回収不可情報２２を入力部１２で選択する。
ＳＴＥＰ４は、ＣＰＵ６が入力部１２で選択された回収不可情報２２を呼び出しする。（回収不可情報呼出手段）。
ＳＴＥＰ５は、回収不可情報２２を呼び出し後に、ＣＰＵ６が携帯端末２のＨＤ９に記憶された廃棄物情報１６から回収地域情報２１及び回収不可情報２２に対応した回収方法情報２３を呼び出す。（回収方法情報呼出手段）。
ＳＴＥＰ６は、携帯端末２の表示部１１に、呼び出された回収方法情報２３を識別コード２９化するか否かを選択する画面である回収方法情報選択画面３３が表示され、廃棄物を回収する者が入力部１２で回収方法情報２３を識別コード２９でラベル４に表示するか、目視できる文字情報でラベル４に表示するかを選択する。
ＳＴＥＰ７は、回収方法情報選択画面３３で回収方法情報２３を識別コード化する場合、回収方法制御プログラム１８によって回収方法情報２３を識別コード２９に変換する。
ＳＴＥＰ８は、ＳＴＥＰ６及びＳＴＥＰ７で選択された回収方法情報２３をＣＰＵ６で呼び出しする。
ＳＴＥＰ９は、ＳＴＥＰ８で回収方法情報２３を呼び出し後に回収方法コード１７を呼び出す。
ＳＴＥＰ１０は、呼び出された回収地域情報２１及び回収不可情報２２及び回収方法情報２３（識別コード２９の場合もある）及び回収方法コード１７を、通信部１３を介してプリンタ部３に送信する。
ＳＴＥＰ１１は、プリンタ部３が携帯端末の通信部１３を介して送信された回収地域情報２１及び回収不可情報２２及び回収方法情報２３（識別コード２９の場合もある）及び回収方法コード１７を受信後に、印字部でラベル４の表面に回収地域情報２１及び回収不可情報２２及び回収方法情報２３（識別コード２９の場合もある）及び回収方法コード１７を印字する。
【００２８】
図６乃至図８は、ラベル発行システム１の携帯端末２の操作状況を示す説明図である。
【００２９】
図６は、携帯端末２の表示部１１に表示される回収地域情報２１を選択する画面である回収地域情報選択画面３１である。回収地域情報選択画面３１は、複数の回収地域情報２１を表示してある回収地域情報選択欄３５と、回収地域情報２１を決定する回収地域決定ボタン３６と、を有する。廃棄物の回収者は入力部１２を操作し、回収地域情報選択欄３５から対象の回収地域情報２１を選択し、選択後に回収地域決定ボタン３６を選択する。回収地域決定ボタン３６を選択すると回収地域情報２１が決定され、回収不可情報２２を選択する回収不可情報選択画面３２に移行する。
【００３０】
図７は、携帯端末２の表示部１１に表示される回収不可情報２２を選択する画面である回収不可情報選択画面３２である。回収不可情報選択画面３２は、複数の回収不可情報２２を表示してある回収不可情報選択欄３８と、回収不可情報２２を決定する回収不可決定ボタン３９と、を有する。廃棄物の回収者は入力部１２を操作し、回収不可情報選択欄３８から対象の回収不可情報２２を選択し、選択後に回収不可決定ボタン３９を選択する。回収不可決定ボタン３９を選択すると回収不可情報２２が決定され、回収方法情報２３をラベル４に識別コード２９で表示するか、目視できる文字情報で表示するかを選択する回収方法情報選択画面３３に移行する。回収不可決定ボタン３９を選択前に戻るボタン４０を選択すると回収地域情報選択画面３１に戻る。
【００３１】
図８は、携帯端末２の表示部１１に表示される回収方法情報２３を識別コード化するか否かを選択する画面である回収方法情報選択画面３３である。回収方法情報選択画面３３は、回収方法情報２３を識別コード化してラベルに表示させる識別コード表示選択４２と、目視できる文字情報でラベルに表示させる文字情報表示選択４３と、を有する回収方法情報選択欄４４と、回収方法情報２３のラベル４への表示形式を決定する回収方法決定ボタン４５と、を有する。廃棄物の回収者は、入力部１２を操作し、識別コード表示選択４２又は文字情報表示選択４３を選択し、選択後に回収方法決定ボタン４５を選択する。回収方法決定ボタ４５ンを選択すると回収方法情報２３のラベル４への表示形式（識別コード２９又は文字情報）が決定する。回収方法決定ボタン４５を選択前に戻るボタン４６を選択すると回収不可情報選択画面３２に戻る。
なお、回収方法情報２３をラベル４に目視できる文字情報で表示するか識別コード２９で表示するかについての選択は、携帯端末２にラベル４のサイズ（大きさ）を入力し、入力されたラベル４のサイズ（大きさ）と表示する情報のサイズを比較し、携帯端末２が自動で選択する制御を行っても良い。
【００３２】
上述したように本発明のラベル発行システム１は、回収地域情報２１及び回収不可情報２２、回収地域情報２１及び回収不可情報２２に対応した回収方法情報２３を表示したラベル４を容易に発行できるとともに、このラベル４を廃棄物回収者の定めた廃棄物の回収方法に違反し回収することができない廃棄物又は廃棄物用の容器（ごみ袋）に貼り付けることによって、廃棄物を出す者に廃棄物の正しい出し方を促進することができる。
また、廃棄物回収者が定めた廃棄物の回収方法が記載されたウェブサイトに携帯電話機などで容易に接続できる回収方法コード１７をラベル４に表示できるため、廃棄物を出す者が廃棄物の回収方法を容易に知ることができる。
また、回収方法情報２３を携帯電話などで読取り文字などに解析可能な識別コード２９に変換する回収方法制御プログラム１８を有するため、回収方法情報２３の情報量が多いときであっても回収方法情報２３をラベル４に省スペースで表示可能であり、回収方法情報２３の情報量によってラベル４のサイズを変更するという手間がかからず、小型のラベルが使用可能である。
【００３３】
なお、本発明が上記実施の形態に限定されず、本発明の技術思想の範囲内において、実施の形態は適宜変更可能である。また、上記構成要件の数、位置、形状等は上記実施の形態に限定されず、本発明を実施する上で好適な数、位置、形状等にすることができる。
【図面の簡単な説明】
【００３４】
【図１】本発明のラベル発行システム１の概略説明図である。
【図２】携帯端末の構成を示すブロック図である。
【図３】廃棄物情報データ構成を示すテーブル図である。
【図４】廃棄物情報のデータ構成を示すブロック図である。
【図５】ラベル発行システムの制御について示すフローチャート図である。
【図６】携帯端末の操作状況を示す説明図である。
【図７】携帯端末の操作状況を示す説明図である。
【図８】携帯端末の操作状況を示す説明図である。
【図９】ラベルの平面図である。
【図１０】回収方法情報をラベルに識別コードで表示したときのラベルの平面図である。
【符号の説明】
【００３５】
１      ラベル発行システム
２      携帯端末
３      プリンタ部
４      ラベル
６      ＣＰＵ
７      ＲＯＭ
８      ＲＡＭ
９      ハードディスク（ＨＤ）
１１    表示部
１２    入力部
１３    通信部
１４    バス
１６    廃棄物情報
１７    回収方法コード
１８    回収方法制御プログラム
１９    ラベル発行制御プログラム
２１    回収地域情報
２２    回収不可情報
２３    回収方法情報
２５    回収地域情報表示領域
２６    回収不可情報表示領域
２７    回収方法情報表示領域
２８    回収方法コード表示領域
２９    識別コード
３１    回収地域情報選択画面
３２    回収不可情報選択画面
３３    回収方法情報選択画面
３５    回収地域情報選択欄
３６    回収地域決定ボタン
３８    回収不可情報選択欄
３９    回収不可決定ボタン
４０    戻るボタン
４２    識別コード表示選択
４３    文字情報表示選択
４４    回収方法情報選択欄
４５    回収方法決定ボタン
４６    戻るボタン
【図１】
2008112419.tif 000003
【図２】
2008112419.tif 000004
【図３】
2008112419.tif 000005
【図４】
2008112419.tif 000006
【図５】
2008112419.tif 000007
【図６】
2008112419.tif 000008
【図７】
2008112419.tif 000009
【図８】
2008112419.tif 000010
【図９】
2008112419.tif 000011
【図１０】
2008112419.tif 000012